【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
固有の安定性を有し、貫流可能に多孔質であるフィルター要素を製作するための方法にして、以下のステップである、  （ａ）ガラス粒子又はセラミック粒子が熱硬化性プラスチック材料のための粒状プラスチック初期材料と混合され、  （ｂ）当該熱硬化性プラスチック材料は、フィルター要素が５０〜２００℃の範囲の温度である連続使用温度に適するように、及び／又は、良好な耐酸性を有するように選択され、  （ｃ）乾いた当該混合物が型に充填され、  （ｄ）粒状プラスチック初期材料が流動状態に変えられて硬化するので、プラスチック材料は、ガラス粒子又はセラミック粒子と共に保持され、  （ｅ）原フィルター要素が型から取り出される、  ステップを備えて成る方法。
【請求項２】
固有の安定性を有し、貫流可能に多孔質であるフィルター要素を製作するための方法にして、以下のステップである、  （ａ）ガラス粒子又はセラミック粒子が熱可塑性プラスチック材料のための粒状プラスチック初期材料と混合され、  （ｂ）当該熱可塑性プラスチック材料は、フィルター要素が５０〜２００℃の範囲の温度である連続使用温度に適するように、及び／又は、良好な耐酸性を有するように選択され、  （ｃ）乾いた当該混合物が型に充填され、  （ｄ）粒状プラスチック初期材料が溶融させられ、その後固体化されるので、プラスチック材料は、ガラス粒子又はセラミック粒子と共に保持され、  （ｅ）原フィルター要素が型から取り出される、  ステップを備えて方法。
【請求項３】
粒状プラスチック初期材料が、  −エポキシ樹脂、  −又は、フェノール樹脂、  −又は、ポリエステル樹脂、  −又は、メラミン樹脂、  −又は、シリコーン樹脂、  −又は、ウレタン樹脂、  であることを特徴とする請求項１又は２のいずれか一項に記載の方法。
【請求項４】
熱硬化性プラスチック材料が、処理後に、後で活性化されることを特徴とする請求項１又は３に記載の方法。
【請求項５】
処理のための前記ガラス粒子又はセラミック粒子が、５０〜５００μｍの平均サイズを有することを特徴とする請求項１〜４のいずれか一項に記載の方法。
【請求項６】
処理のための前記ガラス粒子又はセラミック粒子が、１００〜３５０μｍの平均サイズを有することを特徴とする請求項５に記載の方法。
【請求項７】
処理において、非中空ガラス粒子及び／又は非中空セラミック粒子を有する基礎構成成分と接着剤のためのプラスチック初期材料とは、重量比２５：１〜３４：１で存在することを特徴とする請求項１〜６のいずれか一項に記載の方法。
【請求項８】
ガラス粒子又はセラミック粒子を有する基礎構成成分は、充填物を備えて成ることを特徴とする請求項１〜７のいずれか一項に記載の方法。
【請求項９】
ガラス粒子又はセラミック粒子を有する基礎構成成分は、充填物として繊維及び／又は粒状充填物を備えて成ることを特徴とする請求項８に記載の方法。
【請求項１０】
フィルター要素の支持構成部分の孔サイズよりもより小さな孔サイズのコーティングが、フィルター要素の流入表面上に適用されることを特徴とする請求項１〜９のいずれか一項に記載の方法。
【請求項１１】
コーティングが、繊維及び／又は粒子から成ることを特徴とする請求項１０に記載の方法。
【請求項１２】
フィルター要素が、８０〜２００℃の範囲の温度である連続使用温度に適していることを特徴とする請求項１〜１１のいずれか一項に記載の方法。
【請求項１３】
フィルター要素が、１００〜２００℃の範囲の温度である連続使用温度に適していることを特徴とする請求項１２に記載の方法。
【請求項１４】
フィルター要素が、１２０〜２００℃の範囲の温度である連続使用温度に適していることを特徴とする請求項１２に記載の方法。
【請求項１５】
フィルター要素は、燃焼ガス中に通常生じる酸に対し良好な耐性を有していることを特徴とする請求項１〜１４のいずれか一項に記載の方法。
【請求項１６】
固有の安定性を有し、貫流可能な多孔質であるフィルター要素にして、熱硬化性プラスチック材料又は熱可塑性プラスチック材料によって、ガラス粒子又はセラミック粒子が互いに接触するか又はほとんど互いに接触している位置で共に保持されるガラス粒子又はセラミック粒子で形成され、当該プラスチック材料は、粒状プラスチック初期材料であり、フィルター要素が５０〜２００℃の範囲の温度である連続使用温度に適するように、及び／又は、良好な耐酸性を有するように選択されるフィルター要素。
【請求項１７】
粒状プラスチック初期材料が、  −エポキシ樹脂、  −又は、フェノール樹脂、  −又は、ポリエステル樹脂、  −又は、メラミン樹脂、  −又は、シリコーン樹脂、  −又は、ウレタン樹脂、  であることを特徴とする請求項１６に記載のフィルター要素。
【請求項１８】
熱硬化性プラスチック材料が、処理後に、後で活性化されることを特徴とする請求項１６又は１７に記載のフィルター要素。
【請求項１９】
処理のための前記ガラス粒子又はセラミック粒子が、５０〜５００μｍの平均サイズを有することを特徴とする請求項１６〜１８のいずれか一項に記載のフィルター要素。
【請求項２０】
処理のための前記ガラス粒子又はセラミック粒子が、１００〜３５０μｍの平均サイズを有することを特徴とする請求項１９に記載のフィルター要素。
【請求項２１】
処理において、非中空ガラス粒子及び／又は非中空セラミック粒子を有する基礎構成成分と接着剤のためのプラスチック初期材料とは、重量比２５：１〜３４：１で存在することを特徴とする請求項１６〜２０のいずれか一項に記載のフィルター要素。
【請求項２２】
ガラス粒子又はセラミック粒子を有する基礎構成成分は、充填物を備えて成ることを特徴とする請求項１６〜２１のいずれか一項に記載のフィルター要素。
【請求項２３】
ガラス粒子又はセラミック粒子を有する基礎構成成分は、充填物として繊維及び／又は粒状充填物を備えて成ることを特徴とする請求項２２に記載のフィルター要素。
【請求項２４】
フィルター要素が、その流入表面上に、フィルター要素の支持構成部分の孔サイズよりもより小さな孔サイズのコーティングを備えて成ることを特徴とする請求項１６〜２３のいずれか一項に記載のフィルター要素。
【請求項２５】
コーティングが、繊維及び／又は粒子から成ることを特徴とする請求項２４に記載のフィルター要素。
【請求項２６】
フィルター要素が、８０〜２００℃の範囲の温度である連続使用温度に適していることを特徴とする請求項１６〜２５のいずれか一項に記載のフィルター要素。
【請求項２７】
フィルター要素が、１００〜２００℃の範囲の温度である連続使用温度に適していることを特徴とする請求項２６に記載のフィルター要素。
【請求項２８】
フィルター要素が、１２０〜２００℃の範囲の温度である連続使用温度に適していることを特徴とする請求項２６に記載のフィルター要素。
【請求項２９】
フィルター要素は、燃焼ガス中に通常生じる酸に対し良好な耐性を有していることを特徴とする請求項１６〜２８のいずれか一項に記載のフィルター要素。
【請求項３０】
燃焼ガスをフィルタリングするための、請求項１〜１５のいずれか一項に記載の方法により製作されたフィルター要素か又は請求項１６〜２９のいずれか一項に記載の構成を有するフィルター要素の使用方法。
【請求項３１】
−洗剤産業での噴霧乾燥機、  −流動床乾燥機、  −食料品産業での乾燥機、  −石灰焼成オーブン、  −高熱粒子生産、  におけるガス流からの生成物分離のための、請求項１〜１５のいずれか一項に記載の方法により製作されたフィルター要素か又は請求項１６〜２９のいずれか一項に記載の構成を有するフィルター要素の使用方法。
【請求項３２】
ガス流からリサイクルする材料のための、請求項１〜１５のいずれか一項に記載の方法により製作されたフィルター要素か又は請求項１６〜２９のいずれか一項に記載の構成を有するフィルター要素の使用方法。
【請求項３３】
触媒流動床リアクターの場合の触媒をリサイクルするための、請求項１〜１５のいずれか一項に記載の方法により製作されたフィルター要素か又は請求項１６〜２９のいずれか一項に記載の構成を有するフィルター要素使用方法。
【請求項３４】
−金属浴、  −金属溶解炉、  −液状ガラスを伴う浴、  −クリンカー冷却器、  −光導波路生産のための炉、  −食料品産業での焙焼工場、  の流出ガスクリーニングのための、請求項１〜１５のいずれか一項に記載の方法により製作されたフィルター要素か又は請求項１６〜２９のいずれか一項に記載の構成を有するフィルター要素の使用方法。
【請求項３５】
液流をフィルタリングするための、請求項１〜１５のいずれか一項に記載の方法により製作されたフィルター要素か又は請求項１６〜２９のいずれか一項に記載の構成を有するフィルター要素の使用方法。